(57)【要約】【課題】ヒートシンクを光源装置内に固定する手動ネジを素手で緩める作業を行っても誤ってヒートシンクに触れて火傷する恐れがなく、安全にランプ交換を行うことができる内視鏡用光源装置を提供すること。【解決手段】内視鏡の照明光源となる光源ランプ１が光源ランプ１から発生する熱を放散するためのヒートシンク１０に取り付けられた状態で、外部から開閉されるランプ交換扉４の内側に配置され、ヒートシンク１０を光源装置内に固定するための手動ネジ１２の摘み部１２ａがランプ交換扉４側から見てヒートシンク１０の手前側に配置された内視鏡用光源装置において、手動ネジ１２の摘み部１２ａとヒートシンク１０との間に熱伝導率の小さな材料からなる断熱仕切り板１５を配置した。【選択図】      図１
2006239041.tif 000002
【特許請求の範囲】
【請求項１】
内視鏡の照明光源となる光源ランプが上記光源ランプから発生する熱を放散するためのヒートシンクに取り付けられた状態で、外部から開閉されるランプ交換扉の内側に配置され、上記ヒートシンクを光源装置内に固定するための手動ネジの摘み部が上記ランプ交換扉側から見て上記ヒートシンクの手前側に配置された内視鏡用光源装置において、
上記手動ネジの摘み部と上記ヒートシンクとの間に熱伝導率の小さな材料からなる断熱仕切り板を配置したことを特徴とする内視鏡用光源装置。
【請求項２】
上記断熱仕切り板が、上記ランプ交換扉を開いてその内側に手を差し込んだときにその手が上記ヒートシンクに触れることを遮る状態に配置されている請求項１記載の内視鏡用光源装置。
【請求項３】
上記手動ネジの摘み部にも、熱伝導率の小さな材料からなる断熱キャップが取り付けられている請求項２記載の内視鏡用光源装置。
【請求項４】
上記断熱キャップが軸線回りに回転自在に上記断熱仕切り板に係合していて、上記断熱キャップと上記手動ネジと上記断熱仕切り板とが一体的に上記ヒートシンクに対して脱着される請求項３記載の内視鏡用光源装置。
【発明の詳細な説明】
【技術分野】
【０００１】
この発明は内視鏡用光源装置に関する。
【背景技術】
【０００２】
内視鏡用光源装置には一般に、内視鏡の照明光源となるキセノンランプ等の光源ランプが、その光源ランプから発生する熱を放散するためのヒートシンクに取り付けられた状態で配置されている。
【０００３】
そして、光源ランプが切れたとき等に光源ランプを交換できるように、ヒートシンクは外部から開閉されるランプ交換扉の内側に配置され、ヒートシンクを光源装置内に固定するための手動ネジの頭部がランプ交換扉側から見てヒートシンクの手前側に配置されている（例えば、特許文献１、２）。
【特許文献１】特開昭６０−２０８００５
【特許文献２】特開２００１−２７５９６０
【発明の開示】
【発明が解決しようとする課題】
【０００４】
内視鏡検査中に光源ランプが切れたとき等は、早急にランプ交換を行う必要があるが、そのような場合にはヒートシンクは直接触れると火傷をしてしまう程度に加熱された状態になっている。
【０００５】
したがって、光源ランプをヒートシンクに対して脱着する際には遮熱性のある手袋等をする必要があるが、ヒートシンクを光源装置内に固定する手動ネジの頭部をランプ交換扉内で回す作業はゴワゴワした手袋等をしていては作業性が悪くてスムーズに行えない。そのため、手動ネジを緩める作業はしばしば素手で行われるが、その手が誤ってヒートシンクに触れて火傷をしてしまう場合があった。
【０００６】
そこで本発明は、ヒートシンクを光源装置内に固定する手動ネジを素手で緩める作業を行っても誤ってヒートシンクに触れて火傷する恐れがなく、安全にランプ交換を行うことができる内視鏡用光源装置を提供することを目的とする。
【課題を解決するための手段】
【０００７】
上記の目的を達成するため、本発明の内視鏡用光源装置は、内視鏡の照明光源となる光源ランプが光源ランプから発生する熱を放散するためのヒートシンクに取り付けられた状態で、外部から開閉されるランプ交換扉の内側に配置され、ヒートシンクを光源装置内に固定するための手動ネジの摘み部がランプ交換扉側から見てヒートシンクの手前側に配置された内視鏡用光源装置において、手動ネジの摘み部とヒートシンクとの間に熱伝導率の小さな材料からなる断熱仕切り板を配置したものである。
【０００８】
なお、断熱仕切り板が、ランプ交換扉を開いてその内側に手を差し込んだときにその手がヒートシンクに触れることを遮る状態に配置されているとよく、手動ネジの摘み部にも、熱伝導率の小さな材料からなる断熱キャップが取り付けられていてもよい。
【０００９】
また、断熱キャップが軸線回りに回転自在に断熱仕切り板に係合していて、断熱キャップと手動ネジと断熱仕切り板とが一体的にヒートシンクに対して脱着されるようにしてもよい。
【発明の効果】
【００１０】
本発明によれば、ヒートシンクを光源装置内に固定するためにランプ交換扉の内側に配置された手動ネジの摘み部とヒートシンクとの間に熱伝導率の小さな材料からなる断熱仕切り板を配置したことにより、手動ネジを素手で緩める作業を行ってもその手がヒートシンクに触れないので火傷する恐れがなく、安全にランプ交換を行うことができる。
【発明を実施するための最良の形態】
【００１１】
内視鏡の照明光源となる光源ランプが光源ランプから発生する熱を放散するためのヒートシンクに取り付けられた状態で、外部から開閉されるランプ交換扉の内側に配置され、ヒートシンクを光源装置内に固定するための手動ネジの摘み部がランプ交換扉側から見てヒートシンクの手前側に配置された内視鏡用光源装置において、手動ネジの摘み部とヒートシンクとの間に熱伝導率の小さな材料からなる断熱仕切り板を配置し、手動ネジの摘み部にも、熱伝導率の小さな材料からなる断熱キャップを取り付ける。
【実施例】
【００１２】
図面を参照して本発明の実施例を説明する。
図３は、内視鏡の照明光源となる光源ランプ１を内蔵した内視鏡用光源装置を示しており、光源ランプ１としては例えばキセノンランプが用いられている。
【００１３】
光源装置全体を囲む筐体の側壁２部分には光源ランプ１の位置に合わせてランプ交換用開口３が形成されており、そのランプ交換用開口３を塞ぐランプ交換扉４が、矢印Ａで示されるように蝶番５を支点に回動させることにより開閉するように取り付けられている。
【００１４】
ランプ交換扉４には、開閉時に指先で摘むことができるロック摘み６が取り付けられており、ロック摘み６を回転させることで閉状態を維持させることができる。８は、図示されていない内視鏡のライトガイドコネクタを差し込み接続するためのライトガイドコネクタ受け、９は電子信号コネクタ受けである。
【００１５】
図１は光源ランプ１周辺の部分の平面断面図、図２は、図１に図示されたII−II断面位置における正面断面図であり、光源ランプ１は、光源ランプ１から発生する熱を放散するための例えばアルミニウム等のような熱伝導率の大きな材料からなるヒートシンク１０に着脱可能に（具体的には、ヒートシンク１０に形成された孔に差し込まれた状態に）取り付けられている。
【００１６】
ヒートシンク１０は、光源ランプ１の先側部分保持用と後側部分保持用の二つに分かれて構成されて光源ランプ１に通電するための導電路を兼ねており、その各々に多数の冷却フィンが突設され、ランプ交換扉４の内側位置に配置されて手動ネジ１２により内視鏡用光源装置内のフレーム１１に固定されている。１３は各ヒートシンク１０をフレーム１１に対して位置決めするたの位置決めピンである。
【００１７】
一対のヒートシンク１０の各々に形成されたネジ用ガイド孔内を貫通する状態に差し込まれて先端がフレーム１１のネジ孔に螺合する手動ネジ１２の手元側端部には、指先で摘んで回転させるための摘み部１２ａが形成されており、摘み部１２ａは、ランプ交換扉４の内側のランプ交換扉４側から見て手動ネジ１２の手前側に配置されている。
【００１８】
したがって、ランプ交換扉４を開いて摘み部１２ａを軸線周りに回転させることにより手動ネジ１２をフレーム１１のネジ孔から外し、ヒートシンク１０をランプ交換用開口３から取り出して光源ランプ１を交換することができる。
【００１９】
そのような手動ネジ１２の摘み部１２ａとヒートシンク１０との間には、例えばフェノール樹脂等のような熱伝導率の小さな材料からなる断熱仕切り板１５が配置され、手動ネジ１２の摘み部１２ａにも、熱伝導率の小さな材料からなる断熱キャップ１６が摘み部１２ａと一体となって軸線周りに回転する状態に摘み部１２ａ全体を囲んで取り付けられている。
【００２０】
断熱キャップ１６は断熱仕切り板１５に穿設された孔部に軸線周りに回転自在に嵌合していて、断熱仕切り板１５の裏面側に突き出た断熱キャップ１６の端部には、断熱キャップ１６が断熱仕切り板１５の孔から抜け出すのを規制するための唾部１６ａが突出形成されている。
【００２１】
断熱仕切り板１５は、手動ネジ１２が垂直に貫通する状態に配置されていて、断熱仕切り板１５の外縁部が全体としてランプ交換用開口３よりやや小さく形成されており、図４に示されるようにランプ交換扉４が閉じられた状態から、図５に示されるようにランプ交換扉４を開くと、ランプ交換用開口３のすぐ内側位置に断熱仕切り板１５がランプ交換用開口３を殆ど塞ぐ状態に現れ、二つの断熱キャップ１６が各々摘んで回転させ易い位置に現れる。
【００２２】
したがって、光源ランプ１の交換が必要になった時には、ランプ交換扉４を開き、断熱キャップ１６を摘んで手動ネジ１２を回転させれば、ランプ交換用開口３の内側に差し込まれた手は断熱仕切り板１５に遮られてヒートシンク１０に触れることはなく、また断熱キャップ１６の存在により手動ネジ１２の摘み部１２ａに触れることもないので、その手に断熱性の手袋等をしていなくても火傷をする恐れがない。
【００２３】
そして、断熱キャップ１６を摘んで手前へ引っ張れば手動ネジ１２と共に断熱仕切り板１５が一体的になった状態でランプ交換用開口３内から引き出されるので、続いて、手袋等をした手でヒートシンク１０を取り外して光源ランプ１を交換し、上述と逆の手順で新しい光源ランプ１を光源装置内にセットすることができる。
【００２４】
なお、断熱仕切り板１５がヒートシンク１０の手前側のほぼ全面に対向する状態でランプ交換用開口３内に配置されていることにより、ヒートシンク１０に触れて感電する恐れもなくなり、又、ヒートシンク１０を冷却するための冷却風を効率よくヒートシンク１０に沿って流すことができる等の効果もある。
【図面の簡単な説明】
【００２５】
【図１】本発明の実施例の内視鏡用光源装置の部分平面断面図である。
【図２】本発明の実施例の内視鏡用光源装置の図１に示されたII−II断面位置における正面断面図である。
【図３】本発明の実施例の内視鏡用光源装置の外観斜視図である。
【図４】本発明の実施例の内視鏡用光源装置の側面図である。
【図５】本発明の実施例の内視鏡用光源装置のランプ交換扉が開いた状態の側面図である。
【符号の説明】
【００２６】
１  光源ランプ
３  ランプ交換用開口
４  ランプ交換扉
１０  ヒートシンク
１２  手動ネジ
１２ａ  摘み部
１５  断熱仕切り板
１６  断熱キャップ
【図１】
2006239041.tif 000003
【図２】
2006239041.tif 000004
【図３】
2006239041.tif 000005
【図４】
2006239041.tif 000006
【図５】
2006239041.tif 000007